(57)【要約】【課題】  電池の残容量が減少した時でも撮影枚数を多く確保することのできる撮像装置を提供する。【解決手段】  電源電圧を予め決められた閾値と比較する電源電圧判定手段（２３）と、撮像素子の全画素データを読み出す第１読み出し手段（２，８，９）と、撮像素子の画素データを間引して読み出す第２読み出し手段と（２，８，９）、電源電圧判定手段による判定結果に応じて、第２読み出し手段によって画素データのうち１フィールドのみを読み出す第１読み出しモードと第２読み出し手段によって画素データのうち複数フィールドを読み出す第２読み出しモードとを選択するための選択手段（２、１８）とを備え、電源電圧が閾値よりも低いと判定したとき、選択手段は前記第２読み出しモードを選択する撮像装置である。【選択図】    図４
2006180079.tif 000002
【特許請求の範囲】
【請求項１】
二次元に画素を配置した撮像素子と、
電源電圧を予め決められた閾値と比較する電源電圧判定手段と、
前記撮像素子の全画素データを読み出す第１読み出し手段と、
前記撮像素子の画素データを間引して読み出す第２読み出し手段と
前記電源電圧判定手段による判定結果に応じて、前記第２読み出し手段によって前記画素データのうち１フィールドのみを読み出す第１読み出しモードと、前記第２読み出し手段によって前記画素データのうち複数フィールドを読み出す第２読み出しモードとを選択するための選択手段と、を備え、
前記電源電圧が前記閾値よりも低いと判定したとき、前記選択手段は前記第２読み出しモードを選択することを特徴とする撮像装置。
【請求項２】
前記第２読み出し手段は、被写体の輝度が所定値以上である場合には、前記画素データの読み出しに際して前記撮像素子の残留電荷を排出する処理を実行し、被写体の輝度が所定値未満である場合には、前記撮像素子の残留電荷を排出する処理を省略することを特徴とする請求項１に記載の撮像装置。
【請求項３】
前記撮像素子の画素はベイヤ配列をなし、
前記第２読み出し手段によって選択された前記第２読み出しモードは、前記撮像素子の３ラインおきの画素データで構成される第１フィールドの画素データを読み出すことを特徴とする請求項１に記載の撮像装置。
【請求項４】
前記撮像素子の画素はベイヤ配列をなし、
前記第２読み出し手段は、前記撮像素子の第１乃至第３ラインの内任意の２つのラインから始めた、それぞれ３ラインおきの画素データで構成される第１フィールドの画素データと第２フィールドの画素データとを読み出し、
前記撮像素子の画素のうち読み出しを行わなかったラインの画素のデータを、前記第１フィールドと前記第２フィールドの画素データに基づいて補間演算により求める演算手段をさらに有することを特徴とする請求項１に記載の撮像装置。
【発明の詳細な説明】
【技術分野】
【０００１】
本発明は撮像装置に関し、特に、電池の残容量が減少した時でも撮影枚数を多く確保することのできる撮像装置に関する。
【背景技術】
【０００２】
電子スチルカメラ等の撮像装置においては、従来ＣＣＤ固体撮像素子が使用されている（例えば、特許文献１参照）。ＣＣＤ固体撮像素子では、縦方向に延長する垂直転送レジスタが所定のピッチで水平方向に複数配置され、この垂直転送レジスタに沿って、各画素を構成する光電変換センサ部が配置されている。そして、これらの垂直転送レジスタの一端には、水平方向に延長する水平転送レジスタが接続され、水平転送レジスタの末端に出力部が配置されている。
【０００３】
このＣＣＤ固体撮像素子から読み出された撮影画像は、カメラ内部のメモリに記憶され、ユーザの操作に応じて再生表示されあるいは外部装置に転送される。
【特許文献１】特開２００３−１５３０９３号公報
【発明の開示】
【発明が解決しようとする課題】
【０００４】
ところで、ＣＣＤ固体撮像素子のフォトダイオードが光を受けて光電変換した電荷を読み出している間は、多くの電力を消費する。そのため、電池の残量が少ない状態で電荷の読み出しを続けると、狙い通りの撮影枚数を確保しようとしても、その後の撮影可能枚数には制限が生じる。しかし、電池の残容量が少ない時にも撮影枚数を多く確保したいと考える場合がある。特に連射撮影をしようとする場合は、思い通りの枚数が撮影できなくなるため、この要請は強い。しかしながら、特許文献１には、この課題を解決するための記載、解決を示唆する記載はされていない。
【０００５】
本発明は、かかる事情に鑑みてなされたものであり、電池の残容量が減少した時でも撮影枚数を多く確保することのできる撮像装置を提供することを目的とする。
【課題を解決するための手段】
【０００６】
上記課題を解決するための、本発明に係る請求項１に記載の撮像装置は、二次元に画素を配置した撮像素子と、電源電圧を予め決められた閾値と比較する電源電圧判定手段と、前記撮像素子の全画素データを読み出す第１読み出し手段と、前記撮像素子の画素データを間引して読み出す第２読み出し手段と、前記電源電圧判定手段による判定結果に応じて、前記第２読み出し手段によって前記画素データのうち１フィールドのみを読み出す第１読み出しモードと、前記第２読み出し手段によって前記画素データのうち複数フィールドを読み出す第２読み出しモードとを選択するための選択手段と、を備え、前記電源電圧が前記閾値よりも低いと判定したとき、前記選択手段は前記第２読み出しモードを選択する。
【０００７】
また、本発明に係る請求項２に記載の撮像装置は、上記記載の発明である撮像装置において、前記第２読み出し手段は、被写体の輝度が所定値以上である場合には、前記画素データの読み出しに際して前記撮像素子の残留電荷を排出する処理を実行し、被写体の輝度が所定値未満である場合には、前記撮像素子の残留電荷を排出する処理を省略する。
【０００８】
また、本発明に係る請求項３に記載の撮像装置は、上記記載の発明である撮像装置において、前記撮像素子の画素はベイヤ配列をなし、前記第２読み出し手段は、前記撮像素子の３ラインおきの画素データで構成される第１フィールドの画素データを読み出す。
【０００９】
また、本発明に係る請求項４に記載の撮像装置は、上記記載の発明である撮像装置において、前記撮像素子の画素はベイヤ配列をなし、前記第２読み出し手段によって選択された前記第２読み出しモードは、前記撮像素子の第１乃至第３ラインの内任意の２つのラインから始めた、それぞれ３ラインおきの画素データで構成される第１フィールドの画素データと第２フィールドの画素データとを読み出し、前記撮像素子の画素のうち読み出しを行わなかったラインの画素のデータを、前記第１フィールドと前記第２フィールドの画素データに基づいて補間演算により求める演算手段をさらに有する。
【発明の効果】
【００１０】
本発明の撮像装置によれば、電池の残容量が減少した時でも撮影枚数を多く確保することができる。
【発明を実施するための最良の形態】
【００１１】
［第１の実施の形態］
図１は、第１の実施の形態のカメラ１の構成を示すブロック図である。
【００１２】
カメラ１は、ＣＰＵ２、レンズ３、ローパスフィルタ４、ＣＣＤ５、ＣＤＳ／ＡＧＣ回路６、Ａ／Ｄ変換回路７、ＣＣＤドライバ８、ＴＧ（タイミングジェネレータ）９、ＤＳＰ回路１０、ＲＡＭ１１、Ｄ／Ａ変換回路１２、ＬＣＤ１３、ＬＣＤドライバ１４、圧縮／伸張回路１５、補間処理２３、記録媒体１６、ＡＥ／ＡＦ処理回路１７、操作スイッチ１８、ＥＥＰＲＯＭ１９、電池電源２０、電圧判定回路２１、フラッシュＲＯＭ２２及び補間処理部２３とで構成される。
【００１３】
ＣＰＵ２は、カメラ全体を制御するマイクロプロセッサである。レンズ３は、光学的な被写体像をカメラ内部に導く。ローパスフィルタ４は、レンズ３を通過した光束から不要な高周波成分を取り除く。ＣＣＤ５は、ローパスブィルタ４を介して上記レンズ３により結像された光学的な被写体像を電気的な信号に変換して出力する。ＣＤＳ／ＡＧＣ回路６は、ＣＣＤ５から出力される信号に対してノイズ除去（ＣＤＳ：相関二重サンプリング）や増幅（ＡＧＣ：自動ゲイン制御）の処理を行う。Ａ／Ｄ変換回路７は、ＣＤＳ／ＡＧＣ回路６から出力されるアナログの画像信号をデジタルの画像信号に変換する。ＣＣＤドライバ８は、ＣＣＤ５を制御して駆動する。
【００１４】
ＴＧ（タイミングジェネレータ）９は、ＣＤＳ／ＡＧＣ回路６，Ａ／Ｄ変換回路７，ＣＣＤドライバ８にタイミングを制御するための信号を供給する。ＤＳＰ回路１０は、Ａ／Ｄ変換回路７からの信号に対して所定のデジタル信号処理を行う。ＲＡＭ１１は、ＤＳＰ回路１０からの信号を一時的に記憶するフレームバッファである。Ｄ／Ａ変換回路１２は、ＲＡＭ１１に記憶されているデジタル信号をアナログ信号に変換する。ＬＣＤ１３は、Ｄ／Ａ変換回路１２により変換されたアナログの画像信号に基づき画像を表示する。ＬＣＤドライバ１４は、ＬＣＤ１３を制御して駆動する。圧縮／伸張回路１５は、ＲＡＭ１１に記憶されているデジタル信号を圧縮するとともに後述する記録媒体１６から読み出した圧縮されたデジタル信号の伸張も行う。記録媒体１６は、圧縮／伸張回路１５により圧縮されたデジタル信号を記録する。
【００１５】
ＡＥ／ＡＦ処理回路１７は、Ａ／Ｄ変換回路７からのデジタル画像信号に基づき露出制御用のパラメータと、オートフォーカス（ＡＦ）制御用のパラメータの算出を行う。操作スイッチ１８は、カメラ１の撮影動作開始やモード切り換えなどの操作を行うための各スイッチ類を含む。ＥＥＰＲＯＭ１９は、このカメラ１において用いられる各種の補正データ等を記録する。電池電源２０は、カメラ１の全体に電力を供給する。電圧判定回路２１は、この電池電源２０の電圧を判定する。フラッシュＲＯＭ２２は、カメラの動作を制御するためのプログラムであるファームウェアを記録する。補間処理２３は、読み出されたデジタル信号についてベイヤ配列を保つための処理を実行する。
【００１６】
続いて、カメラ１の動作について説明する。
【００１７】
レンズ３を通過した光束は、ローパスフィルタ４を介して、ＣＣＤ５の撮像面に結像する。操作スイッチ１８の操作による静止画の撮影指示が入力されると、ＣＣＤ５による光電変換が行われ、アナログの画像信号が出力される。
【００１８】
このＣＣＤ５からの信号は、ＣＤＳ／ＡＧＣ回路６に入力されて、ＣＤＳ／ＡＧＣ回路６内のＣＤＳ回路部により公知の相関二重サンプリング処理などが行われてリセットノイズが除去されるとともに、ＣＤＳ／ＡＧＣ回路６内のＡＧＣ回路部により所定の信号レベルヘの増幅が行われて出力される。
【００１９】
このＣＤＳ／ＡＧＣ回路６からのアナログの画像信号は、続くＡ／Ｄ変換回路７によって、デジタルの画像信号（画像データ）に変換される。これらＣＤＳ／ＡＧＣ回路６、Ａ／Ｄ変換回路７へは、タイミングジェネレータ９により生成されたタイミングを制御するための信号が入力されるようになっており、タイミングジェネレータ９からの信号は、さらにＣＣＤドライバ８へも入力される。このタイミングジェネレータ９は、ＣＰＵ２により制御されるようになっている。
【００２０】
ＤＳＰ回路１０は、Ａ／Ｄ変換回路７からの画像データに対して、所定の画像処理演算を行うとともに、得られた演算結果に基づいて画像データにオートホワイトバーランス処理も行う。ＤＳＰ回路１０により処理された画像データは、ＲＡＭ１１に一時的に記憶される。このＲＡＭ１１内の画像データは、圧縮／伸張回路１５内の圧縮回路部で圧縮された後に、記録媒体１６に記憶される。
【００２１】
また、操作スイッチ１８の所定の操作により記録済みの画像の再生の指示が行われた場合には、記録媒体１６に記憶されている圧縮されたデータが、圧縮／伸張回路１５内の伸張回路部により伸張されてＲＡＭ１１に一時的に記憶され、その画像データがＤ／Ａ変換回路１２によりアナログの画像信号に変換された後に、ＬＣＤ１３に表示される。また、ＬＣＤ１３は再生画像の表示だけでなく、ファームウェアのダウンロード中である旨の表示や、撮影モードの表示なども行う。このときのＬＣＤ１３の動作は、ＬＣＤドライバ１４から発生された信号により制御される。
【００２２】
一方、Ａ／Ｄ変換回路７からのデジタル画像データは、ＡＥ／ＡＦ処理回路１７に入力される。ＡＥ／ＡＦ処理回路１７は、１フレーム（１画面）分の画像データの輝度値を算出して重み付け加算する等の処理を行うことにより、被写体の明るさに対応したＡＥ評価値を算出して、算出結果をＣＰＵ２へ出力する。またそれとともに、１フレーム（１画面）分の画像データの輝度成分にハイパスフィルタなどを用いて高周波成分を抽出し、抽出した高周波成分の累積加算値を算出する等により高周波域側の輪郭成分等に対応したＡＦ評価値を算出して、算出結果をＣＰＵ２へ出力する。なお、ＥＥＰＲＯＭ１９には、露出制御やオートフォーカス処理等に必要な各種補正データが記録され、ＣＰＵ２は、必要に応じて、このＥＥＰＲＯＭ１９から補正データを読み出して各種の演算を行う。
【００２３】
次に、ＣＣＤ５から画像信号を読み出す動作について説明する。撮影した画像を読み出す方式としては、１画面（全画素）を３回で読み出す３フィールド読み出しが一般的に使用されている。以下、この読み出し方式を「通常読み出しモード」とよぶ。
【００２４】
図２は、３フィールド読出し方法を示す図である。図に示すように、３フィールド読出し方式では、第１フィールド読み出し（以下、第１ｓｔ読み出しという）から第３フィールド読み出し（以下、第３ｒｄ読み出しという）まで、３ラインごとの電荷で構成される３つのフィールドの電荷が読み出されて１フレームが構成される。
【００２５】
図３は、「通常読み出しモード」における読み出し動作を示すタイムチャートである。ここで、（１）はレリーズボタンの動作を表し、（２）は読み出し期間を表し、（３）は読み出しモードを表している。
【００２６】
レリーズボタンが全押しされるまでは、カメラ１は、モニターモードにあり、所定周期でモニター読み出しが行われる。即ち、期間Ｐ１、Ｐ２では、被写体のスルー画像がＬＣＤ１３に表示される。そして、レリーズボタンが全押しされると、カメラ１は、スチルモードに移行し撮影動作が実行される。
【００２７】
期間Ｐ３では、予め実行された露出計算に基づいて絞りが所定位置に駆動される。期間Ｐ４では、シャッタが開かれて、露光が開始される。続いて、期間Ｐ５において、空読み出し動作が実行される。これは、例えば、太陽等の超高輝度被写体を検知したときにＣＣＤ５の垂直転送路に存在する残留電荷を掃き出す動作である。
【００２８】
そして、期間Ｐ６〜Ｐ８において、図２に示す３フィールド読み出しが行われる。１フレームの読み出しが行われた後は、カメラ１は、モニターモードに復帰して、期間Ｐ９以降、所定周期でモニター読み出しが行われる。
【００２９】
以上説明したように、３フィールド読み出しでは、画面を読み出すための３フィールドと、残留電荷を排出するためのダミーフィールドとの合計４フィールドが必要とされる。なお、連写撮影では、期間Ｐ４〜Ｐ８の一連の動作が繰り返して実行される。
【００３０】
図４は、電池の残容量が減少した場合の処理手順を示す概略のフロー図である。
【００３１】
ＣＰＵ２は、ステップＳ０１において、記録媒体１６の残容量及び電圧判定部２１での電源電圧の判定結果を取り入れ、メモリと電池の残量を監視する。そして、いずれの残容量も所定量以上である場合は、ステップＳ０２において、「通常読み出しモード」での動作を行うように動作モードを指定する。これによって、レリーズボタンが全押しされたときは、図３に示す手順で読み出し動作が実行される。
【００３２】
一方、少なくとも１つの残容量が所定値未満の場合は、ステップＳ０３において、「いずれの読み出しモードを採用するか」とのメッセージをＬＣＤ１３に表示して、ユーザに選択を促す。ここで、ユーザは、「通常読み出しモード」、「超高速読み出しモード」、「高速読み出しモード」のいずれかを選択することができる。
【００３３】
ユーザが「通常読み出しモード」を選択した場合は、上述のステップＳ０２の処理を実行する。
【００３４】
ユーザがステップＳ０４において、「超高速読み出しモード」を選択した場合は、ステップＳ０５において、「超高速読み出しモード」での動作を行うように動作モードを指定する。
【００３５】
図５は、超高速読出しモードにおける撮像素子のフィールド読出し方法を示す図である。図に示すように、このモードでは第１ｓｔ読み出しのみが実行される。即ち、１フィールドのみの電荷が読み出されて１フレームが構成される。
【００３６】
図６は、１フレームの画素の配列であるベイヤ配列を表す図である。上述のように１フィールドのみの電荷の読み出しを実行した場合、即ち、３ｎ−２（ｎ：自然数）ラインの画素を読み出して１フレームを構成した場合、その再構成される画素の配列は、ベイヤ配列になる。従って、このモードでの読み出し方法では、画像データの処理が容易に行えるという利点がある。
【００３７】
図７は、超高速読出しモードでの読み出し動作を示すタイムチャートである。ここで、（１）はレリーズボタンの動作を表し、（２）は読み出し期間を表し、（３）は読み出しモードを表している。
【００３８】
レリーズボタンが全押しされるまでは、カメラ１は、モニターモードにあり、所定周期でモニター読み出しが行われる。即ち、期間Ｐ１１、Ｐ１２では、被写体のスルー画像がＬＣＤ１３に表示される。そして、レリーズボタンが全押しされると、カメラ１は、間引きモードに移行し撮影動作が実行される。
【００３９】
期間Ｐ１３では、予め実行された露出計算に基づいて絞りが所定位置に駆動される。期間Ｐ１４では、シャッタが開かれて、露光が開始される。そして、期間Ｐ１５において、図５に示す１フィールド読み出しが行われる。１フレームの読み出しが行われた後は、カメラ１は、モニターモードに復帰して、期間Ｐ１６以降、所定周期でモニター読み出しが行われる。
【００４０】
以上説明したように、超高速読み出しモードでは、画面を読み出すための１フィールドのみで十分である。したがって、電池の消費量を少なくすることができる。また撮影画像１枚の容量が１／３となるためメモリ残容量が少ない場合であっても撮影枚数を多く確保することができる。さらに、４フィールドを必要とする通常読み出しモードと比較すると高速に読み出すことができる。従って、連写撮影においても有効に適用することができる。なお、連写撮影では、期間Ｐ１４〜Ｐ１５の一連の動作が繰り返して実行される。
【００４１】
なお、図７においては、上述の空読み出し期間を設けていないが、ＡＥ／ＡＦ処理回路１７が算出した被写体輝度が所定値以上であるような場合には、空読み出し期間を設けてノイズ発生を防止するようにしても良い。
【００４２】
図４に戻り、ユーザがステップＳ０４において、「高速読み出しモード」を選択した場合は、ステップＳ０６において、「高速読み出しモード」での動作を行うように動作モードを指定する。
【００４３】
図８は、高速読出しモードにおける撮像素子のフィールド読出し方法を示す図である。図に示すように、第１フィールドと第２フィールドの読み出しが実行される。即ち、２つのフィールドの電荷が読み出されて１フレームが構成される。
【００４４】
図９は、２フィールドの電荷を読み出して１フレームを構成した場合の画素の配列を示す図である。２つのフィールドを読み出した場合は、ベイヤ配列を保つことができない。従って、別途画像補間処理を必要とする。
【００４５】
図１０は、画像補間処理方法を説明する図である。図１０の実線で示される画素は、読み出された画素を表し、点線で示される画素は画像補間処理によって生成される画素を表している。この画像補間処理は、公知の補間処理技術を適用することができる。例えば、同じ列にある同色の画素の平均値を採用することもでき、周囲にある同色の画素の平均値を採用することもできる。
【００４６】
図１１は、高速読出しモードでの読み出し動作を示すタイムチャートである。ここで、（１）はレリーズボタンの動作を表し、（２）は読み出し期間を表し、（３）は読み出しモードを表している。
【００４７】
レリーズボタンが全押しされるまでは、カメラ１は、モニターモードにあり、所定周期でモニター読み出しが行われる。即ち、期間Ｐ２１、Ｐ２２では、被写体のスルー画像がＬＣＤ１３に表示される。そして、レリーズボタンが全押しされると、カメラ１は、間引きモードに移行し撮影動作が実行される。
【００４８】
期間Ｐ２３では、予め実行された露出計算に基づいて絞りが所定位置に駆動される。期間Ｐ２４では、シャッタが開かれて、露光が開始される。そして、期間Ｐ２５〜Ｐ２６において、図８に示す２フィールド読み出しが行われる。１フレームの読み出しが行われた後は、カメラ１は、モニターモードに復帰して、期間Ｐ２７以降、所定周期でモニター読み出しが行われる。
【００４９】
以上説明したように、高速読み出しモードでは、画面を読み出すために２つのフィールドを使用する。したがって、電池の消費量を少なくすることができる。また撮影画像１枚の容量が２／３となるためメモリ残容量が少ない場合であっても撮影枚数を多く確保することができる。さらに、４フィールドを必要とする通常読み出しモードと比較すると高速に読み出すことができる。従って、連写撮影においても有効に適用することができる。なお、連写撮影では、期間Ｐ２４〜Ｐ２６の一連の動作が繰り返して実行される。
【００５０】
なお、図１１においては、上述の空読み出し期間を設けていないが、ＡＥ／ＡＦ回路１７が算出した被写体輝度が所定値以上であるような場合には、空読み出し期間を設けてノイズの発生を防止するようにしても良い。また、読み出す２つのフィールドは、３つのラインの中の任意の２ラインを選択しても良い。
【００５１】
なお、この高速読み出しモードでは、記録媒体１６に格納する際には２つのフィールドで構成したフレームを格納するため、そのままでは画像として再生することはできない。従って、補間処理部２３が、読み出されたデジタル信号についてベイヤ配列を保つための、図１０に示す補間処理を実行する。このため、ＣＰＵ２はＣＣＤ５から読み出したデータを格納する際、格納する画像ファイルのヘッダ部分にいずれのモードで読み込んだかを予め記録する。補間処理部２３は画像の再生時において、この情報に従って、所要の補間処理を実行する。
【００５２】
〔実施の形態の効果〕
上述の各実施の形態によれば、種々の効果を奏することができる。
【００５３】
（１）１コマあたりの読み出し量を少なくすることができるため消費電力を少なくすることができる。このため、電池残量が少なくなっても安定した撮影を続けることができ、連写撮影など所定コマ数の撮影を確実に行いたい場合などに便利である。
【００５４】
（２）高輝度被写体で無い場合は、空読み出し期間を省略することで、読み込み時間を短縮でき、より多くの撮影が可能となる。
【００５５】
（３）１フィールド読み出しを行えば、読み出された信号を順次に配列するとベイヤ配列になっているので画像データの処理が簡単になる。
【００５６】
（４）２フィールド読み出しを行い、その画像を利用するときに画像補間処理を行うようにすれば、電池の残容量が少なくなっても、多数コマのベイや配列の高精細な画像データを得ることができる。
【００５７】
なお、上述の各実施の形態では、読み出しモードをユーザに選択させているが、この形態に限定されず、カメラが自動的に所定のモード（通常、間引き）を選択するように構成してもよい。
【００５８】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００５９】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００６０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６１】
【図１】第１の実施の形態のカメラの構成を示すブロック図。
【図２】３フィールド読出し方法を示す図。
【図３】通常読み出しモードにおける読み出し動作を示すタイムチャート。
【図４】電池の残容量が減少した場合の処理手順を示す概略のフロー図。
【図５】超高速読出しモードにおける撮像素子のフィールド読出し方法を示す図。
【図６】ベイヤ配列を表す図。
【図７】超高速読出しモードでの読み出し動作を示すタイムチャート。
【図８】高速読出しモードにおける撮像素子のフィールド読出し方法を示す図。
【図９】２フィールドの電荷を読み出して１フレームを構成した場合の画素の配列を示す図。
【図１０】画像補間処理方法を説明する図。
【図１１】高速読出しモードでの読み出し動作を示すタイムチャート。
【符号の説明】
【００６２】
１…カメラ、２…ＣＰＵ、５…ＣＣＤ、８…ＣＣＤドライバ、９…タイミングジェネレータ、１６…記録媒体、１８…操作スイッチ、２０…電源、２１…電圧判定部、２３…補間処理部。
【図１】
2006180079.tif 000003
【図２】
2006180079.tif 000004
【図３】
2006180079.tif 000005
【図４】
2006180079.tif 000006
【図５】
2006180079.tif 000007
【図６】
2006180079.tif 000008
【図７】
2006180079.tif 000009
【図８】
2006180079.tif 000010
【図９】
2006180079.tif 000011
【図１０】
2006180079.tif 000012
【図１１】
2006180079.tif 000013